(57)【特許請求の範囲】
【請求項１】
バッテリポストに接続されるヒューズユニットを覆う第一のカバーと、該第一のカバーに回動部を介して繋がる第二のカバーとで構成され、該回動部を回動中心として該第二のカバーが開扉可能に設けられた保護カバーにおいて、
前記第二のカバーの側壁内面に、前記ヒューズユニットの前記回動部寄りに位置して設けられたガイド溝の傾斜状のガイド面に案内されて侵入するガイドリブと、前記ヒューズユニットの側壁に回動部から離れた位置に設けられた凹部と、前記第二のカバーの内面に設けられ、該凹部に係合するロック用凸部と、
が形成されていることを特徴とする保護カバー。
【請求項２】
前記ヒューズユニットの上部に当接する位置規制リブが、前記第二のカバーの上壁内面に突出形成されていることを特徴とする請求項１記載の保護カバー。
【請求項３】
複数のヒューズの形成されたヒューズエレメントと、該ヒューズエレメントを内蔵する樹脂ボディとからなるヒューズユニットと、該ヒューズユニットを覆う第一のカバーと、該第一のカバーに回動部を介して繋がる第二のカバーとで構成され、該回動部を回動中心として該第二のカバーが開扉可能である保護カバーと、で構成されるヒューズボックスにおいて、
前記ヒューズユニットの側壁には、前記回動部寄りに位置するガイド溝と、前記回動部から離れた位置にある凹部とが設けられ、前記第二のカバーの側壁内面には、該ガイド溝に進入するガイドリブと、該凹部に係合するロック用凸部とが設けられていることを特徴とするヒューズボックス。
【請求項４】
前記第二のカバーの上壁内面に、前記ヒューズユニットの上部に当接する位置規制リブが突出形成されていることを特徴とする請求項３記載のヒューズボックス。
【請求項５】
前記ガイド溝は、傾斜状のガイド面を有する広幅部と、該広幅部に続いて閉じ方向に延在する狭幅部とから成っていることを特徴とする請求項３又は請求項４記載のヒューズボックス。
【請求項６】
前記ロック用凸部と前記位置規制リブとが、前記第二のカバーの両側壁に直交する同一平面内に配設されていることを特徴とする請求項３〜請求項５の何れかに記載のヒューズボックス。
【請求項７】
前記広幅部と前記狭幅部とを連ねる溝壁面が前記ガイドリブに対する位置規制面であることを特徴とする請求項３〜請求項６の何れかに記載のヒューズボックス。
【発明の詳細な説明】
【０００１】
【発明の属する技術分野】
本発明は、車載されるバッテリのバッテリポストに直付けされるヒューズユニットに適用され、ヒューズ等を保護する保護カバー及びヒューズボックスに関するものである。
【０００２】
【従来の技術】
車載されるバッテリは、鉛合金で作られた一対のバッテリポストを有している。バッテリポストには、各種電装品等にバッテリからの電源を供給するために、複数の端子接続部を有する連鎖型のヒューズエレメント（可溶体）が装着されているものがある。ヒューズエレメントは、樹脂ボディに内蔵されてヒューズユニットを構成する。
【０００３】
ヒューズエレメントの端子接続部やヒューズ等は、外部に露出しているため、腐食しやすく、保護カバーで覆われているのが一般的である。保護カバーは、車両組付時やメンテナンス時に端子等の交換やヒューズの視認等を行う必要性に配慮して、別体として形成されている。このような保護カバーは、種々の係合手段によりヒューズユニットの樹脂ボディに着脱自在に装着されるようになっている。保護カバーと、ヒューズユニットとでヒューズボックスを構成する。
【０００４】
図９は、特開平１０−３３８０８５号公報に開示された従来のヒューズボックスの一例を示したものである。図示するヒューズボックス１０１は、ヒュージブルリンク１０２の交換作業を効率よく行うことができるようにしたものである。
【０００５】
ヒューズボックス１０１は、ヒュージブルリンク１０２を収容するボックス本体１１０と、ボックス本体１１０を覆うカバー体１２０とからなっている。ボックス本体１１０には、上部１１１ａと下部両側１１１ｂ，１１１ｃとを開放させたヒュージブルリンク１０２の収容部１１１が設けてある。この従来例では、ヒュージブルリンク１０２と、ボックス本体１１０とでヒューズユニットを構成する。
【０００６】
ヒュージブルリンク１０２は、上部１１１ａから収容部１１１内に挿入され、その頭部１０２ａが上部１１１ａから露出し、また、そのタブ端子１０２ｂ，１０２ｃが下部両側１１１ｂ，１１１ｃから露出している。また、収容部１１１に収容されたヒューズジブルリンク１０２の、一方のタブ端子１０２ｂには、取付ボルトを介して電源供給用端子１３０が接続され、他方のタブ端子１０２ｃには、取付ボルトを介して電線付き端子１４０が接続される。さらに、電源供給用端子１３０には、バッテリ接続用端子１０３がナットにより接続してあり、バッテリ接続用端子１０３は、バッテリのバッテリポストに接続される。
【０００７】
カバー体１２０は、ボックス本体１１０の上部１１１ａを覆うアッパカバー部１２１と、アッパカバー部１２１の下方に垂設され、収容部１１１の下部両側１１ｂ，１１１ｃをそれぞれ覆うロアカバー部１２２と、バッテリのバッテリポストを覆うバッテリポストカバー部１２３とからなっている。バッテリポストカバー部１２３はアッパカバー部１２１に連続している。このようなカバー体１２０は、回動軸１２４ａと軸受１２４ｂとからなるヒンジ１２４を介して、ボックス本体１１０に９０°回動自在に設けてある。
【０００８】
【発明が解決しようとする課題】
しかしながら、ボックス本体１１０とカバー体１２０とは、ヒンジ１２４を介して着脱自在に連結されており、かつ、カバー体１２０を回動自在に支持することのできるものであるが、回動軸１２４ａを支持する軸受１２４ｂは、薄肉湾曲状に形成されているため、カバー体１２０の開閉操作を長期に亘って繰り返し行うと、軸受１２４ｂが塑性変形することがある。軸受１２４ｂが塑性変形すると、回動軸１２４ａを抱持することができなくなることもあり、カバー体１２０がボックス本体１１０から離脱して、保護カバーとしての本来の機能を果たすことができなくなる心配がある。
【０００９】
また、カバー体１２０を閉じる際には、ロアカバー部１２２に突設されるストッパ１２２ａがボックス本体１１０に当接して、回動が規制されるが、カバー体１２０を開ける際には、回動を規制するストッパがないために、カバー体１２０を開けすぎて軸受１２４ｂに塑性変形を生じ、上記と同様にカバー体１２０がボックス本体１１０から離脱することがある。
【００１０】
ボックス本体とカバー体とが、ヒンジを介して一体に連結している場合であっても同様である。通常、ヒンジは、開閉カバーの操作性を良くするために薄肉に形成されており、繰り返し開閉操作を行うと疲労によって破損することがある。そして、カバー体が外れ保護カバーとしての機能を果たすことができなくなることがある。
【００１１】
本発明は、上記した点に鑑み、回動するカバーのヒンジ等が破損したり、疲労等によって切れた場合であっても、外れたカバー単品をヒューズユニットを覆う保護カバーとして機能させ、閉操作及びカバーの固定を容易かつ確実に行うことができる保護カバー及びヒューズボックスを提供することを目的とする。
【００１２】
【課題を解決するための手段】
上記目的を達成するために、請求項１記載の保護カバーは、バッテリポストに接続されるヒューズユニットを覆う第一のカバーと、該第一のカバーに回動部を介して繋がる第二のカバーとで構成され、該回動部を回動中心として該第二のカバーが開扉可能に設けられた保護カバーにおいて、
前記第二のカバーの側壁内面に、前記ヒューズユニットの前記回動部寄りに位置して設けられたガイド溝の傾斜状のガイド面に案内されて侵入するガイドリブと、前記ヒューズユニットの側壁に回動部から離れた位置に設けられた凹部と、前記第二のカバーの内面に設けられ、該凹部に係合するロック用凸部と、が形成されていることを特徴とする。
【００１３】
また、請求項２記載の保護カバーは、請求項１記載の保護カバーにおいて、前記ヒューズユニットの上部に当接する位置規制リブが、前記第二のカバーの上壁内面に突出形成されていることを特徴とする。
【００１４】
また、請求項３記載のヒューズボックスは、複数のヒューズの形成されたヒューズエレメントと、該ヒューズエレメントを内蔵する樹脂ボディとからなるヒューズユニットと、該ヒューズユニットを覆う第一のカバーと、該第一のカバーに回動部を介して繋がる第二のカバーとで構成され、該回動部を回動中心として該第二のカバーが開扉可能である保護カバーと、で構成されるヒューズボックスにおいて、前記ヒューズユニットの側壁には、前記回動部寄りに位置するガイド溝と、前記回動部から離れた位置にある凹部とが設けられ、前記第二のカバーの側壁内面には、該ガイド溝に進入するガイドリブと、該凹部に係合するロック用凸部とが設けられていることを特徴とする。
【００１５】
また、請求項４記載のヒューズボックスは、請求項３記載のヒューズボックスであって、前記第二のカバーの上壁内面に、前記ヒューズユニットの上部に当接する位置規制リブが突出形成されていることを特徴とする。
【００１６】
また、請求項５記載のヒューズボックスは、請求項３又は請求項４記載のヒューズボックスにおいて、前記ガイド溝は、傾斜状のガイド面を有する広幅部と、該広幅部に続いて閉じ方向に延在する狭幅部とから成っていることを特徴とする。
【００１７】
また、請求項６記載のヒューズボックスは、請求項３〜請求項５の何れかに記載のヒューズボックスにおいて、前記ロック用凸部と前記位置規制リブとが、前記第二のカバーの両側壁に直交する同一平面内に配設されていることを特徴とする。
【００１８】
また、請求項７記載のヒューズボックスは、請求項３〜請求項６の何れかに記載のヒューズボックスにおいて、前記広幅部と前記狭幅部とを連ねる溝壁面が前記ガイドリブに対する位置規制面であることを特徴とする。
【００１９】
以下に、上記構成に基づく作用・効果を説明する。
請求項１記載の発明においては、第二のカバーを閉じるとき、ガイドリブがヒューズユニットのガイド溝に進入し、そして、ガイドリブはガイド溝の傾斜状のガイド面に案内されて溝壁に当接し、第二のカバーの回動を停止させる。続いて、ロック用凸部がヒューズユニットの凹部に係合することで、第二のカバーがヒューズユニットに固定される。
【００２０】
第二のカバーが回動部から外れてカバーが単品となった際において、カバーを閉じるときは、ガイドリブがヒューズユニットのガイド溝に上方から進入し、ガイド溝の傾斜状のガイド面に案内されると同時に、溝壁に当接して前後方向に位置決めされる。そして、ロック用凸部がヒューズユニットの凹部に係合し、第二のカバーが固定される。ガイドリブがなければ、カバーは前後方向にガタ付き、ロック用凸部が盲状態となって取り付け困難となる。
【００２１】
請求項２記載の発明においては、第二のカバーの上壁内面に位置規制リブが突出形成されているから、位置規制リブの先端面がヒューズユニットの上部（ヒューズエレメントの上面）に当接し、上下方向（高さ方向）の位置決めが行われる。そして、ロック用凸部が相手側の凹部に係合し、第二のカバーがヒューズユニットを挟むような格好で固定される。
【００２２】
請求項３記載の発明においては、第二のカバーのガイドリブに対応するガイド溝がヒューズユニットの側壁に設けられているため、ガイドリブが側壁に干渉してカバーの閉操作が妨げられることがなく回動し、そして、ガイドリブがガイド溝の溝壁に当接してカバーの回動が停止する。ヒューズユニットの側壁には、カバーのロック用凸部が係合する凹部が形成されているので、第二のカバーは外れることなく確実に固定される。
【００２３】
第二のカバーが回動部から外れてカバーが単品となった場合は、ガイド溝にガイドリブが進入し、その溝壁でガイドリブが案内される。第二のカバーは、前後方向に位置決めされ、ガタ付きが防止されることで、第二のカバーのロック用凸部は相手側の凹部に係合し、第二のカバーが固定される。
【００２４】
請求項４記載の発明においては、第二のカバーの上壁内面に位置規制リブが突出形成されているから、位置規制リブにより上下方向（高さ方向）の位置決めがなされ、その際に、ロック用凸部が相手側の凹部に係合し、第二のカバーがヒューズユニットを挟むような格好で固定される。
【００２５】
請求項５記載の発明においては、ガイド溝の広幅部が傾斜状のガイド面を有し、また、ガイドリブのための進入スペースも有しているので、ガイドリブはガイド面を滑ってガイド溝の狭幅部に進入し、そして、第二のカバーは前後方向に位置決めされる。
【００２６】
請求項６記載の発明においては、第二のカバーがヒューズユニットに固定された際に、ロック用凸部と位置規制リブとは偶力の生じない位置関係にあるため、偶力のモーメントによって、第二のカバーが変形したり回転したりすることを防止することができる。
【００２７】
請求項７記載の発明においては、第二のカバーのガイドリブが、ガイド溝のヒンジ部寄りの溝壁面である位置規制面に当接することで、カバーの前後方向の位置決めが正確に行われ、ロック用凸部が盲状態となることなくヒューズユニットの凹部に係合する。
【００２８】
【発明の実施の形態】
以下に本発明の実施の形態の具体例を図面を用いて詳細に説明する。
図１〜図５は、本発明に係る保護カバーの一実施形態を示し、図６〜図８は、保護カバーとヒューズユニットとで構成されるヒューズボックスの一実施形態を示す。
【００２９】
図１に示すように、保護カバー１０は、バッテリポスト４２に接続されるヒューズユニット５２（図６等）の上部を覆う固定用カバー（第一のカバー）１１と、固定用カバー１１にヒンジ部（回動部）３１を介して接続される開閉用カバー（第二のカバー）２１とから構成されている。開閉用カバー２１は、ヒンジ部３１を回動中心として回動自在になっている。ヒューズユニット５２については後述するが、複数のヒューズ５４，５５が設けられたヒューズエレメント５３と、ヒューズエレメント５３を内蔵する樹脂ボディ６１（図６等参照）とから構成されている。
【００３０】
保護カバー１０は、耐熱性の塩化ビニールその他のプラスチック等の合成樹脂を構成材料とし、ヒューズユニット５２を上方から覆うことのできるように下面を開放する箱形に形成されている。
【００３１】
固定用カバー１１は、両側壁１２ｂ，１２ｃが略９０゜に屈曲する覆部１２と、覆部１２の中間部に下向きに形成される仕切部１３と、覆部１２の両側壁１２ｂ，１２ｃに設けられるロック部１４，１４とで構成されている。後壁は、電線付き端子を挿通できるように開放して形成されている。後壁に対向する前壁は、ヒンジ部３１を介して開閉用カバー２１に連続している。ここで、説明の都合上、前後の概念は、バッテリポスト４２側を前側とし、電線付き端子の接続側を後側とする。左右の概念は、前後方向に直交する幅方向をいうものとする。
【００３２】
固定用カバー１１の内部空間１６は、仕切部１３により二分割されている。内部空間１６を分割して構成したのは、ヒューズユニット５２の左右の二箇所に形成される端子接続部５６ｂ、５６ｃ（図６等参照）を絶縁するためである。
【００３３】
ロック部１４，１４は、固定用カバー１１をヒューズユニット５２に着脱自在に固定するためのものである。ロック部１４，１４の内側には、凸部（図４等参照）１５が形成されており、凸部１５がヒューズユニット５２の側壁５８の凹部６２（図７等参照）に係合して、固定用カバー１１がヒューズユニット５２に固定される。
【００３４】
次に、開閉用カバー２１は、略クランク状の上壁２２ａと、上壁２２ａの周囲に略直角に屈曲する両側壁２２ｂ，２２ｃと、前壁２２ｄとからなっている。上壁２２ａがクランク状を成しているのは、ヒューズユニット５２の形状に対応して形成されているからである。両側壁２２ｂ，２２ｃは、固定用カバー１１の両側壁１２ｂ，１２ｃと同一の高さになっている。
【００３５】
上壁２２ａには、仕切部２４（図３等参照）と、鍔部２３とが形成されている。仕切部２４は、左右方向の略中間位置において、下向きに突設されている。仕切部２４によって、ヒューズ５４を有する空室部６７と端子接続部５６ａとが絶縁されている。
【００３６】
鍔部２３は、開閉用カバー２１の開操作を容易に行うことができるように、上壁２２ａの前方に形成されている。開操作は、先ず、開閉用カバー２１の両側壁２２ｂ，２２ｃを外側に開くようにしてロックを解除し、鍔部２３に指を引っ掛け、上方に持ち上げることによって行われる。
【００３７】
図２及び図３に示すように、開閉用カバー２１の両側壁２２ｂ，２２ｃ内面には、ヒューズユニット５２のガイド溝５９に対応するガイドリブ２５と、ヒューズユニット５２の凹部６０に対応するロック用凸部２６とが形成され、開閉用カバー２１の上壁２２ａ内面には、ヒューズユニット５２の上部に当接する位置規制リブ２７が突出形成されている。
【００３８】
ガイドリブ２５は、上下方向に延びるリブ状の突出部であり、両側壁２２ｂ，２２ｃ後方のヒンジ部３１寄りに位置している。ガイドリブ２５をヒンジ部３１寄りに位置させたのは、第二のカバー２１の閉操作に伴うガイドリブ２５の描く円弧軌跡の曲率半径を小さくして、ヒューズユニット５２の側壁５８のガイド溝５９を極力小さく形成し、残りのスペースにロック用の凹部６０を設けるためである。
【００３９】
また、ガイドリブ２５は、後述する位置規制リブ２７より下方に長く延びており、ガイドリブ２５の先端部は、ロック用凸部２６と略等しい高さに位置している（図２）。このように位置させることによって、開閉用カバー２１の正確な前後方向の位置決めが行われ、ロックの信頼性が向上する。
【００４０】
図７等に示すように、ガイドリブ２５に対応する相手側のガイド溝５９は、ヒューズユニット５２の側壁５８に傾斜状のガイド面５９ｃを有する広幅部５９ａと、広幅部５９ａに続き開閉用カバー２１の閉じ方向に延在する狭幅部５９ｂとで構成されている。
【００４１】
広幅部５９ａの一側（前側）の溝壁面は、ガイド面５９ｃになっているため、開閉用カバー２１のガイドリブ２５はガイド面５９ｃを滑りながら案内される。また、広幅部５９ａには、ガイドリブ２５が進入するためのスペースが確保されており、開閉用カバー２１の閉操作の際に、円弧軌跡を描くガイドリブ２５が側壁５８に干渉するという事態が回避されている。
【００４２】
狭幅部５９ｂは、広幅部５９ａに続いており、開閉用カバー２１の閉じ方向に延在している。開閉用カバー２１の閉状態では、狭幅部５９ｂとガイドリブ２５の先端部との間には間隙が形成される。間隙が形成されているのは、開閉用カバーの高さ方向の位置決めを後述する位置規制リブ２７で行うためである。
【００４３】
狭幅部５９ｂの溝間は、ガイドリブ２５をガタ付きなく拘束できる程度に設定されている。ガタ付きがあると、開閉用カバー２１のロック用凸部２６をヒューズユニット５２の凹部にワンタッチで係合させることができなくなるからである。
【００４４】
広幅部５９ａと狭幅部５９ｂの一側（ヒンジ部寄り）の溝壁面は、高さ方向に真直に連なっており、位置規制面５９ｄを構成している。この位置規制面５９ｄは、ガイドリブ２５が当接する面である。これにより、開閉用カバーの位置決めが行われて、開閉用カバー２１のロックが確実に行われる。
【００４５】
このようなガイド溝５９を設けた構成は、薄肉のヒンジ部３１が切れて、開閉用カバー２１が別体となった際に、殊に有効である。ガイド溝５９がなければ、前後の位置決めが行われず、開閉用カバー２１のロック用凸部２６が盲状態となって、相手側であるヒューズユニット５２の凹部６０に係合させることができなくなるからである。従って、開閉用カバー２１は、ガイドリブ２５がガイド溝５９に案内されることで、前後の位置決めが行われ、ガタ付きを生ずることなく確実にヒューズユニット５２に固定される。
【００４６】
図２に示すように、ロック用凸部２６は、開閉用カバー２１の側壁２２ｂ，２２ｃ内面の下側に突設されている。ガイドリブ２５がヒンジ部３１寄りに位置しているのに対し、ロック用凸部２６はヒンジ部３１から離れた位置にある。ロック用凸部２６がガイドリブ２５の前方に位置しているのは、開閉用カバー２１の開閉操作の妨げとならないようにするためと、位置決めされてからロックが行われるようにするためである。
【００４７】
また、ロック用凸部２６は、位置規制リブ２７に対してその下方に位置している。これによって、位置規制リブ２７で高さ方向の位置決めが行なわれ、同時にロック用凸部２６の凸部係面２６ａがヒューズユニット５２の凹部６０の凹部受面６０ａ（図７参照）に当接して、ヒューズユニット５２を挟むようにして開閉用カバー２１が確実に固定される。
【００４８】
図３〜図５に示すように、位置規制リブ２７は、幅方向に並列に位置し、上壁２２ａ内面に下向きに突出形成されている。位置規制リブ２７は、樹脂ボディ６１の空室部６７から露出するバッテリ端子７１の端子接続部５６ａ（図６参照）に当接して高さ方向の位置決めを行うリブである。オルタネータ端子７２の端子接続部５６ｂ及びスタータモータ端子７３の端子接続部５６ｃからは、端子接続用のスタッドボルト７４が真直に露出しているので、位置規制リブ２７は、開閉用カバー２１の上壁２２ａがスタッドボルト７４（図６参照）に干渉しない程度に、その突出長さが設定されている。
【００４９】
図７及び図８に示すように、ロック用凸部２６と位置規制リブ２７は、第二のカバー２１の両側壁２２ｂ，２２ｃに直交する同一平面内に位置している。ロック用凸部２６と位置規制リブ２７とは偶力の生じない位置関係、換言すると、ロック用凸部２６と位置規制リブ２７とは、両者に作用する互いに反対向きの力の作用線が、同一平面内にあるように位置しているため、偶力によるモーメントが生じることなく、開閉用カバー２１の固定が確実に行われ、ロックの信頼性が向上する。
【００５０】
ヒンジ部３１（図３、図７等）は、固定用カバー１１と開閉用カバー２１との間に介在して、両カバー１１，２１を一体に繋げている。また、ヒンジ部３１は、固定用カバー１１及び開閉用カバー２１の上壁１２ａ，２２ａより低い位置に形成されている。これは、開閉用カバー２１の開閉軌跡の曲率半径を大きくし、かつ、開閉用カバー２１の回動中心であるヒンジ部３１を下げることで開閉軌跡の前側への出代を小さくするためである。このような構成は、バッテリ４１上部が平坦面ではなく膨出部を有するような欧州バッテリに好適し、開閉用カバー２１と膨出壁との干渉を防止できる利益がある。
【００５１】
ヒンジ部３１は、可撓性を有するように、両カバー１１，２１の上壁１２ａ，２２ａの肉厚より薄肉に形成されている。従って、開閉用カバー２１の開閉をスムーズに行うことできる。なお、ヒンジ部３１を略環状にカールして形成することで、応力を全体に分散させることができ、疲労や経時的な破損を有効に防止することができる。
【００５２】
次に、図６〜図８により、ヒューズボックスを構成するヒューズユニットについて説明する。ヒューズユニット５２は、バッテリ４１と電源供給用の電線７６とを接続するものであり、ヒューズ５４，５５を有する導電金属製の板状のヒューズエレメント５３と、ヒューズエレメント５３がインサート成型された絶縁性の樹脂ボディ６１とで構成されている。図示するヒューズユニット５２は、中間部から略９０゜に屈曲しているが、成型時は一次元方向に伸ばした状態で成型されている。このように成型するのは、型抜き等の工程が容易になる利益があるからである。
【００５３】
図６は、ヒューズエレメント５３の表裏に絶縁性の合成樹脂材である樹脂ボディ６１を一体成形して成るヒューズユニット５２の完成状態を示すとともに、ヒューズユニット５２を屈曲させて車両のバッテリ４１に組み付ける状態を示すものである。
【００５４】
先ず、ヒューズエレメント５３は、一枚の導電金属板から打ち抜き形成され、中間部に可撓性の可撓部を一体に有し、可撓部から板厚方向に屈曲自在となっている。可撓部はヒューズエレメント５３と同一の板厚であれば十分に撓み可能である。ヒューズエレメント５３の可撓部は樹脂成形金型（図示せず）の樹脂材を注入しない部分に配置することにより、樹脂ボディ６１の外部に露出した状態になっている。
【００５５】
可撓部を境に垂直に配置される導電金属板の端部には、図示しない四つのタブ端子が並列に配置されている。各タブ端子は、樹脂ボディ６１から露出するヒューズ５５に続いている。タブ端子は、樹脂ボディ６１と一体のコネクタハウジング６５のコネクタ嵌合室内に突出して位置している。タブ端子とコネクタハウジング６５とで雌型のコネクタが構成されている。
【００５６】
水平に配置される導電金属板には、バッテリ端子７１の端子接続部５６ａ、スタータモータ端子７３の端子接続部５６ｃ、オルタネータ端子７２の端子接続部５６ｂが形成されている。バッテリ端子７１の端子接続部５６ａとオルタネータ端子７２の端子接続部５６ｂとの間には、ヒューズ５４が設けられている。
【００５７】
次に、樹脂ボディ６１は、中間部を境に前後両側に分割して形成されている。ヒューズ５４，５５は、ヒューズエレメント５３の両端部側に設けられ、樹脂ボディ６１の空室部６７内に位置し、錫や鉛等の合金製の金属チップを備えている。樹脂ボディ６１も中間部から略９０°屈曲可能になっている。中間部を境にして水平方向に位置する分割部６３と、垂直方向に位置する分割部６４とに分けられている。
【００５８】
水平方向の分割部６３は、バッテリ端子７１にナット７５で上下方向に締付接続され、バッテリ端子７１の環状部を利用してバッテリポスト４２に締付接続される。垂直方向の分割部６４は、略９０゜に屈曲された状態で、バッテリ４１の側壁面に沿って垂設されている。
【００５９】
このようなヒューズユニット５２の製造方法は、先ずヒューズエレメント５３を導電金属板（図示せず）から打ち抜くと共に、樹脂成形金型（図示せず）にヒューズエレメント５３をセットし、樹脂成形金型内に溶融樹脂材を射出注入して、ヒューズエレメント５３の表裏両面に樹脂ボディ６１を一体成形する。この際、端子接続部５６ａ，５６ｂ，５６ｃやヒューズ５４，５５周りの樹脂ボディ６１を空室とし、ヒューズエレメント５３の導体表面を露出させるようにする。
【００６０】
図７は、ヒューズユニット５２に対しヒンジ部３１で繋がる開閉用カバー２１を閉じる状態を示す。開閉用カバー２１は、ヒンジ部３１を回動中心として、所定の開閉軌跡Ａを描いて閉じ方向に回動する。ガイドリブ２５は、ヒューズユニット５２のガイド溝５９に進入し、ガイド溝５９の溝壁に当接して、開閉用カバー２１の回動を停止させる。ガイド溝５９は、回動規制用のストッパとして機能する。そして、ロック用凸部２６は、ヒューズユニット５２の凹部６０に係合して、開閉用カバー２１がヒューズユニット５２に固定される。
【００６１】
図８は、ヒューズユニット５２に対しヒンジ部３１が切れた開閉用カバー２１をガイド溝５９を利用して閉じる状態を示す。開閉用カバー２１を閉じるときは、ヒューズユニット５２に対して上方から開閉用カバー２１を進入させる。ガイドリブ２５は、ヒューズユニット５２のガイド溝５９に入り、ガイド溝５９に拘束され、開閉用カバー２１の前後方向の位置決めが行われる。そして、ロック用凸部２６がヒューズユニット５２の凹部６０に係合し、開閉用カバー２１が固定される。
【００６２】
【発明の効果】
以上の如く、請求項１記載の発明によれば、第二のカバーを閉じる際に、第二のカバーのガイドリブは、ヒューズユニットのガイド溝の傾斜状のガイド面を滑りながら案内され、ヒンジ部に近い側の溝壁面である位置規制面に当接することで、第二のカバーが前後方向に位置決めされる。そして、第二のカバーのロック用凸部が盲状態となることなくヒューズユニットの凹部に係合する。
従って、第二のカバーがヒンジ部から外れて別体となった場合でも、ガイドリブ及びガイド溝によって前後方向に位置決めされるから、第二のカバーの固定を容易かつ確実に行うことができる。
【００６３】
また、請求項２記載の発明によれば、第二のカバーの上壁内面に位置規制リブが突出形成されているので、第二のカバーを閉じる際に、位置規制リブの先端面がヒューズユニットの上部に当接して、高さ方向の位置決めがなされ、その際、ロック用凸部は、相手側のヒューズユニットの凹部に係合し、凸部係面が凹部受面に当接し、位置規制リブとロック用凸部とでヒューズユニットを挟むような格好となる。
従って、第二のカバーがヒンジ部から外れて別体となっても、、第二のカバーをヒューズユニットにガタ付きなく確実に固定することができる。
【００６４】
また、請求項３記載の発明によれば、ヒューズユニットの側壁には、ガイド溝が設けられているから、第二のカバーの閉操作の際に、ガイドリブがヒューズユニット側壁に干渉することなく、ガイド溝（ガイド面）を滑りながら案内され、溝壁面（位置規制面）に当接することで前後方向に位置決めされ、そして、ロック用凸部が相手側の凹部に係合して第二のカバーがヒューズユニットに固定される。
従って、第二のカバーがヒンジ部から外れて別体となっても、ガイド溝とガイドリブとの案内手段により、閉操作及びカバーの固定を容易かつ確実に行うことができ、請求項１記載の発明と同様の効果を奏することができる。
【００６５】
また、請求項４記載の発明によれば、第二のカバーの上壁内面に位置規制リブが突出形成されているから、位置規制リブにより上下方向（高さ方向）の位置決めがなされ、その際に、ロック用凸部が相手側の凹部に係合し、第二のカバーがヒューズユニットを挟むような格好で固定される。
従って、第二のカバーがヒンジ部から外れて別体となっても、第二のカバーをヒューズユニットにガタ付きなく確実に固定することができ、請求項２記載の発明と同様の効果を奏することができる。
【００６６】
また、請求項５記載の発明によれば、ガイド溝にはガイド面を有する広幅部が設けられているので、ガイドリブはヒューズユニットの側壁に干渉して閉操作が妨げられることなく、ガイド面を滑りながら進入することができる。また、広幅部に続いて狭幅部が形成されているので、ガイドリブは溝壁間に挟まれて前後方向にガタ付くことが防止されている。
従って、第二のカバーがヒンジ部から外れて別体となっても、ガイド溝の広幅部と狭幅部とによって、案内されつつ位置決めされるから、第二のカバーをヒューズユニットに容易かつ確実に固定することができる。
【００６７】
また、請求項６記載の発明によれば、第二のカバーを閉じる際に、ロック用凸部と位置規制リブとは偶力の生じない位置関係にあるため、偶力モーメントによって第二のカバーが変形したり回転したりすることを防止することができる。
従って、第二のカバーがヒンジ部から外れて別体となっても、第二のカバーの固定が確実に行われ、ロック機構の信頼性が向上する。
【００６８】
また、請求項７記載の発明によれば、第二のカバーの閉操作の際に、ガイドリブは位置規制面に当接することで、前後方向の位置決めが正確に行われるから、ロック機構の信頼性が向上する。
【図面の簡単な説明】
【図１】本発明の保護カバーの一実施形態を示す斜視図である。
【図２】図１に示す保護カバーの正面図である。
【図３】同じく平面図である。
【図４】同じく底面図である。
【図５】同じく側面図である。
【図６】本発明のヒューズボックスの一実施形態を示す分解斜視図である。
【図７】ヒューズユニットに対しヒンジ部で繋がる開閉用カバーを閉じる状態を示す図である。
【図８】ヒューズユニットに対しヒンジ部が切れた開閉用カバーをガイド溝を利用して閉じる状態を示す図である。
【図９】従来のヒューズボックスの一例を示す斜視図である。
【符号の説明】
１０                保護カバー
１１                固定用カバー（第一のカバー）
２１                開閉用カバー（第二のカバー）
２２ａ              上壁
２２ｂ，２２ｃ      両側壁
２５                ガイドリブ
２６                ロック用凸部
２７                位置規制リブ
２７ａ              先端面
３１                ヒンジ部
５１                ヒューズボックス
５２                ヒューズユニット
５８                側壁
５９                ガイド溝
５９ａ              広幅部
５９ｂ              狭幅部
５９ｃ              ガイド面
５９ｄ              位置規制面
６０                凹部
【図１】
0003845263.tif 000002
【図２】
0003845263.tif 000003
【図３】
0003845263.tif 000004
【図４】
0003845263.tif 000005
【図５】
0003845263.tif 000006
【図６】
0003845263.tif 000007
【図７】
0003845263.tif 000008
【図８】
0003845263.tif 000009
【図９】
0003845263.tif 000010